(57)【要約】【課題】  プランターに自動散水を始めるはタイマーの時間設定と電磁弁の開閉動作に電気や電池の電源が必要としてきた、自動散水は電源なしでは不可能である。【解決手段】  電源をなしで、自動散水を可能にするには、プランター底部の水位を計測して、浮き玉の重さと可動弁のスプリングの力により、可動弁の開閉動作を可能にしたことで上記の課題を解決した。【選択図】図６
2014090713.tif 000002
【特許請求の範囲】
【請求項１】
草花や野菜の栽培のプランターに水を散水する自動散水装置であって、水タンクとプランターの中間に設置され、上部側容器は、サイフォン容器で内部には、サイフォン管と制御部を設け、サイフォン容器に水タンクと接続する接続口を設け。
下部側にはプランター底部の水位面を検出する、浮き玉が収納される，水位面検出部として浮き玉用カバー管設け。
サイフォン容器上部には、水位検出レバーを設け、水位検出レバーと、浮き玉は、浮き玉ワイヤーを介して接続し、水位検出レバーは制御部内部の取水栓の可動弁上部に設置され、水位面が下がると、浮き玉の重さで浮き玉ワイヤーを引くことで水位検出レバーが下がり、可動弁が開いて、水タンクの水がサイフォン容器の内部に流下する。
サイフォン容器に流下した水の水位が、サイフォン管上部面に水位が達した時に、サイフォン作用が発生して、サイフォン管入口より、サイフォン容器内部の水を吸い上げて、サイフォン管出口より流下して、散水受け容器に受けて、散水受け容器より、散水管に流下して、散水管よりプランター上部に散水する。
プランター底部の水位面が、プランター上部散水により水位面が上がり、水位検出レバーが上がり、制御部内部の可動弁のスプリングの力により可動弁は閉じて、水タンクの水がサイフォン容器に流下は止まるが、サイフォン管より水の流下が止まるまで散水管よりの散水を継続散水することを特徴とする自動散水装置。
【発明の詳細な説明】
【技術分野】
【０００１】  本発明は、草花や野菜の栽培のプランターに水を給水する自動散水装置である。
【背景技術】
【０００２】  従来の散水装置は時間割での散水方法で、バッテリーの電源でデジタルタイマーなどで、時間計測をして散水の時は電磁弁の開閉動作により自動散水を行ってきた。
【発明の開示】
【発明が解決しようとする課題】
【０００３】  前記の散水装置は時間計測をするために電源が必要である、散水の時は電気の力を借りて、電磁弁を動作させる必要がある。
本発明は、電気を利用しないで、散水動作を繰り返す、自動散水装置を提案する。
【課題を解決するための手段】
【０００４】  本発明は、上記目的を達成するために、水タンクとプランターの中間に設置され、上部側容器は、サイフォン容器で内部には、サイフォン管と制御部を設け、サイフォン容器に水タンクと接続する接続口をもうけ。
下部側にはプランター底部の水位面を検出する、浮き玉が収納される，水位面検出部として浮き玉用カバー管設け。
サイフォン容器上部には、水位検出レバーを設け、水位検出レバーと、浮き玉は、浮き玉ワイヤーを介して接続し、水位検出レバーは制御部内部の取水栓の可動弁上部に設置され、水位面が下がると、浮き玉の重さで浮き玉ワイヤーを引くことで水位検出レバーが下がり、可動弁が開いて、水タンクの水がサイフォン容器の内部に流下する。
サイフォン容器に流下した水の水位が、サイフォン管上部面に水位が達した時に、サイフォン作用が発生して、サイフォン管入口より、サイフォン容器内部の水を吸い上げて、サイフォン管出口より流下して、散水受け容器に受けて、散水受け容器より、散水管に流下して、散水管よりプランター上部に散水する。
プランター底部の水位面が、プランター上部散水により水位面が上がり、水位検出レバーが上がり、制御部内部の可動弁のスプリングの力により可動弁は閉じて、水タンクの水がサイフォン容器に流下は止まるが、サイフォン管より水の流下が止まるまで散水管よりの散水を継続散水することを特徴とする自動散水装置で上記の課題を解決した。
【発明の効果】
【０００５】  上述したように、自動的に散水を繰り返すには、プランター容器底部の水位を検出して、水位の高低差により散水の動作を繰り返すことが可能ことで、電気タイマーなどがなくても、散水動作が可能である。
【図面の簡単な説明】
【０００６】
【図１】  サイフォン容器平面図
【図２】  自動散水装置断面図
【図３】  制御部平面図
【図４】  制御部断面図
【図５】  水タンクとプランター平面図
【図６】  水タンクとプランター断面図
【符号の説明】
【０００７】１、  サイフォン容器
２、  サイフォン管
３、  散水受け容器
４、  散水管
５、  水位検出レバー
６、  オモリ
７、  スプリング
８、  オーリング
９、  ネジ穴付きエルボ管
１０、浮き玉ワイヤー
１１、浮き玉
１２、ボルト
１３、浮き玉ワイヤー保護管
１４、浮き玉ワイヤー案内管
１５、サイフォン管出口
１６、サイフォン管入口
１７、水位検出レバー支持棒
１８、取水栓
１９、浮き玉用カバー管
２０、案内板のプランター止メ穴
２１、案内板ボルト受け穴
２２、可動弁仕切り板
２３、可動弁
２４、水タンク
２５、給水ホース
２６、台座
２７、プランター
２８、案内板
２９、アングル
３０、散水の水
３１、散水管ソケット
３２、ナット
３３、水タンク接続口
３４、水タンク出口
【発明を実施するための形態】
【０００８】  以下、本発明の実施の形態を図１−図６に基づいて説明する。
図１は、サイフォン容器平面図を示す。
サイフォン容器１の上部には、制御部のネジ穴付きエルボ管９に水タンク接続口３３設置され、水タンク２４との接続口となっている。
ネジ穴付きエルボ管９の上側には、水位検出レバー５を取付りけするために、サイフォン容器１の側面側に水位検出レバー支持棒１７が固定され、そこに水位検出レバー５が取り付けされている。
サイフォン容器１の底部には、逆Ｕ字型をしたサイフォン管２がサイフォン容器１の底部取り付けされ、ここがサイフォン管出口１５となる、サイフォン管入口１６はサイフォン容器１の底部が入口となり、サイフォン容器１の水の吸い込み口となる。
サイフォン容器１の底部に浮き玉ワイヤー保護管１３取り付され、水位検出レバー５の近くまで、まつすぐに立つて固定される、浮き玉ワイヤー保護管１３の底部側は貫通穴となっている、浮き玉ワイヤー１０が下側に出る。
サイフォン容器１は案内板２８の上に、案内板ボルト受け穴２１によりボルト１２が固定され、ボルト１２の一定の高さで両側のナット３２によりサイフォン容器１は固定される。
案内板２８には、プランター２７に案内板２８を固定させるために案内板プランター止め穴２０が設けてある。
【０００９】図２は、自動散水装置断面図を示す。
案内板２８上側には、ボルト１２の上に固定されたサイフォン容器１があり、案内板２８下側にはアングル２９に固定された、浮き玉用カバー管１９取付され、サイフォン容器１と浮き玉用カバー管１９の中間には、散水管４設置され、散水管４の上側には散水受け容器３で、サイフォン管出口１５より流下する水を散水受け容器３で受けて、下側の散水管４に水を流下させていく。
【００１０】サイフォン容器１の上部の外側面には、水タンク接続口３３に、水タンク２４より給水を受ける、サイフォン容器１の上部にある水位検出レバー５は浮き玉１１は浮き玉ワイヤー１０を介して接続されている、浮き玉１１は、案内板２８の下側に設置された、浮き玉カバー管１９の中に設置され、プランター底部の水位面が下がると、浮き玉１１の重さで、浮き玉ワイヤー１０を引くことで、水位検出レバー５がさがり、可動弁２３が開いて、水タンク２４の水が、サイフォン容器１の中に流下する。
サイフォン容器１の水位が上がり、サイフォン管２の上部面に達しや時にサイフォン管２にサイフォン作用が発生して、サイフォン管入口１６より、サイフォン容器１の水を吸い上げて、サイフォン管出口１５より流下して、散水受け容器３で受けて、散水受け容器３より散水管４に水は流下して、散水管４よりプランター２４の上部面に散水する。
【００１１】プランター底部の水位面が、散水管４よりの散水でプランター底部の水位が上がると、浮き玉用カバー管１９の中の浮き玉１１が上がり、水位検出レバー５も上がり、制御部内部の可動弁２３の中にありますスプリング７の力により、可動弁２３は閉じて、水タンク２４の水がサイフォン容器１の中に流下は止まるが、サイフォン容器１の水はサイフォン管出口１５より流下継続している、サイフォン管入口１６の水位になるまで、サイフォン管出口１５より流下続く、散水管４より散水も続く。
（特許第４９４１９３７号においては、可動弁の開閉動作と散水管よりの散水のタイミングは同じとなっている、可動弁の開閉と散水との時間差がない）
サイフォン容器１最初に流下してくる水も、サイフォン管２の上部まで水位が来ない間は、散水管４よりの散水は出来ない、
可動弁２３の開閉動作と散水管４よりの散水時間には差が発生する。
【００１２】図３は、制御部平面図を示す。
制御部は取水栓１８の内部に、可動弁２３が内蔵されその下側にスプリング７より常に可動弁２３は外側におされている、可動弁２３の真上には水位検出レバー５が設置され、水位検出レバー５両側にはオモリ６と浮き玉ワイヤー１０が接続されている。
水位検出レバー５は水位検出支持棒１７により、サイフォン容器１の側面に固定されている。
【００１３】図４は、制御部断面図を示す。
ネジ穴付きエルボ管９の内部に取水栓１８があり、可動弁２３はスプリング７と、可動弁仕切り板２２とオーリング８で構成され、可動弁２３は水位検出レバー５が下がり、可動弁２３下側に動作することで、オーリング８の間が開くことで、水タンク２４よりの水がオーリング８の隙間より水がでる。
水位検出レバー５の左側にはオモリ６が、右側には浮き玉ワイヤー１０の下側に浮き玉１１が接続されている、オモリ６はバランス用としている。
【００１４】図５は、水タンクとプランター平面図を示す。
水タンク２４の、水タンク出口３４から給水ホース２５でサイフォン容器１の水タンク接続口３３接続して、プランター２７の中心部に案内板２８を、案内板のプランター止め穴２０を利用して、プランター２７にボルトで固定する、散水管４はプランター２７上部に設置され、散水管４の両側に散水管ソケット３１をつけ、散水管４を増設可能となる。
【００１５】図６は、水タンクとプランター断面図を示す。
給水ホース２５でサイフォン容器１は給水を受け、下側にあります、浮き玉用カバー管１９の内部にあります、浮き玉１１がプランター底部の水位面に接している、水位面が下がると浮き玉１１が下がり、浮き玉ワイヤー１０下側に引かれて、水位検出レバー５が下側に引かれて、制御部より水タンク２４の水がサイフォン容器１に流下する、サイフォン管２上部面まで水位が上がり、サイフォン管２のサイフォン作用が発生してサイフォン管出口１５より流下すると、散水受け容器３より散水管４に流下して、散水管４より散水の水３０がでる。
【図１】
2014090713.tif 000003
【図２】
2014090713.tif 000004
【図３】
2014090713.tif 000005
【図４】
2014090713.tif 000006
【図５】
2014090713.tif 000007
【図６】
2014090713.tif 000008